【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
システムであって、
電気化学バッテリ内に配設されるように構成される１つ以上の光ファイバセンサであって、各光ファイバセンサが、インプット光を受容し、前記インプット光および前記バッテリ内に存在する遊離または溶解ガスの量に基づいて変動するアウトプット光を提供するように構成される、光ファイバセンサと、
前記インプット光を前記光ファイバセンサに提供するように構成される光源と、
前記アウトプット光を検出し、前記アウトプット光に応答して電気検出器シグナルを発生させるように構成される検出器と、
少なくとも部分的に、遊離または溶解ガスの量が第１の閾値にあるかこれを超えることを示す前記検出器シグナルに基づいて、前記バッテリが第１のバッテリ状態にあることを決定し、少なくとも部分的に、遊離または溶解ガスの量が前記第１の閾値とは異なる第２の閾値にあるかこれを超えることを示す前記検出器シグナルに基づいて、前記バッテリが第２のバッテリ状態にあることを決定するように構成されるバッテリマネージメント電気回路と、
を含む、システム。
【請求項２】
前記バッテリを充電するように構成される充電電気回路をさらに含み、前記バッテリマネージメント電気回路が、前記バッテリの充電状態を決定し、前記充電状態に基づいて前記充電電気回路を制御するように構成される、請求項１に記載のシステム。
【請求項３】
負荷に連結された負荷マネージメント電気回路をさらに含み、前記バッテリマネージメント電気回路が、前記バッテリの充電状態を決定し、前記バッテリからの負荷の脱連結、前記バッテリへの負荷連結、前記負荷の低減、前記充電状態を基づく負荷の増大の１つ以上を行うように構成される、請求項１に記載のシステム。
【請求項４】
前記ガスがＣＯ2を含む、請求項１に記載のシステム。
【請求項５】
前記ガスがＯ2およびＣＨ4の少なくとも一方を含む、請求項１に記載のシステム。
【請求項６】
第１の光ファイバセンサがＣＯ2に対して感受性を有し、
第２の光ファイバセンサが第２のガスに対して感受性を有する、
請求項１に記載のシステム。
【請求項７】
前記第２のガスが炭化水素ガスである、請求項６に記載のシステム。
【請求項８】
前記炭化水素ガスが、Ｃ3Ｈ8，Ｃ2Ｈ6、およびＣＨ4の少なくとも１つを含む、請求項７に記載のシステム。
【請求項９】
前記第２のガスが、Ｏ2、ＨＦ、ＣＯ、およびＨ2の１つ以上を含む、請求項６に記載のシステム。
【請求項１０】
前記バッテリマネージメント電気回路が、前記検出器シグナルの閾値に対する比較に基づいて異常ガス発生を検出するように構成される、請求項１に記載のシステム。
【請求項１１】
前記バッテリマネージメント電気回路が、前記検出器シグナルの変化レートに基づいて異常ガス発生を検出するように構成される、請求項１に記載のシステム。
【請求項１２】
前記バッテリマネージメント電気回路が、現在の検出器シグナル値および前記検出器シグナルの変化レートの数学的組み合わせに基づいて前記バッテリ内での異常ガス発生を検出するように構成される、請求項１に記載のシステム。
【請求項１３】
前記バッテリマネージメント電気回路が、前記検出器シグナルに基づいて、正常充電状態、過充電状態、および過放電状態の１つ以上を決定するように構成される、請求項１に記載のシステム。
【請求項１４】
前記１つ以上の光ファイバセンサが、前記バッテリ内に存在する複数のガスに対して感受性を有するようにそれぞれ構成される複数の光ファイバセンサを含み、
前記検出器が、複数の検出器シグナルを提供する複数の検出器要素を含み、各検出器要素は、特定の光ファイバセンサからのアウトプット光を受容し、
前記バッテリマネージメント電気回路が、前記複数の検出器シグナルの値をそれぞれ、異常反応に関連付けられた閾値の組の中の値と比較することにより、前記バッテリ内の前記異常反応を特定するように構成される、
請求項１に記載のシステム。
【請求項１５】
前記バッテリマネージメント電気回路が、少なくとも部分的に前記検出器シグナルに基づいて、前記バッテリを充電および／または放電するレートを開始、停止および／または適切に調整するように構成される、請求項１に記載のシステム。
【請求項１６】
前記バッテリマネージメント電気回路が、前記検出器シグナルを使用して前記バッテリのｐＨを測定し、少なくとも部分的に前記測定されたｐＨに基づいて、前記バッテリの状態を決定するように構成される、請求項１に記載のシステム。
【請求項１７】
前記ガスがＣＯ2を含み、
前記バッテリマネージメント電気回路が、前記検出器アウトプットシグナルをＣＯ2閾値と比較し、前記検出器アウトプットシグナルが前記ＣＯ2閾値を超えた場合に、前記バッテリの充電を停止するように構成される、
請求項１に記載のシステム。
【請求項１８】
前記バッテリの状態が前記バッテリの劣化を含む、請求項１に記載のシステム。
【請求項１９】
前記バッテリの外部に配設された少なくとも１つの光学センサをさらに含み、前記バッテリから漏出した外部ガスの存在をセンシングするように構成される、
請求項１に記載のシステム。
【請求項２０】
前記バッテリマネージメント電気回路が、検出器シグナルに基づいてバッテリの欠陥を予測するように構成される、請求項１に記載のシステム。
【請求項２１】
前記バッテリマネージメント電気回路が、検出器シグナルに基づいて熱暴走を予測するように構成される、請求項１に記載のシステム。
【請求項２２】
請求項１に記載の方法であって、
前記バッテリの状態を決定する工程が、前記バッテリの充電状態を決定する工程を含み、
さらに、前記バッテリの充電状態に基づいて、前記バッテリの充電および放電の少なくとも一方を制御する工程、
を含む方法。
【請求項２３】
システムであって、
電気化学バッテリケース内に配設されるように構成される１つ以上の光ファイバセンサであって、各光ファイバセンサが、インプット光を受容し、前記バッテリ内に存在する遊離または溶解ガスの量に基づいて変動するアウトプット光を提供するように構成される、光ファイバセンサと、
前記インプット光を前記光ファイバセンサに提供するように構成される光源と、
前記アウトプット光を検出し、前記アウトプット光に応答して電気検出器アウトプットシグナルを発生させるように構成される検出器と、
前記バッテリを充電するように構成される電気回路を充電する工程と、
少なくとも部分的に、ガスの量が第１の閾値にあるかこれを超えることを示す前記検出器シグナルに基づいて、前記バッテリが第１のバッテリ状態にあることを決定し、少なくとも部分的に、ガスの量が前記第１の閾値とは異なる第２の閾値にあるかこれを超えることを示す前記検出器シグナルに基づいて、前記バッテリが第２のバッテリ状態にあることを決定するように構成されるバッテリマネージメントシステムであって、さらに、少なくとも部分的に前記検出器シグナルに基づいて、前記バッテリ電極の形成を制御するために充電電気回路にフィードバック情報を提供するように構成されるバッテリマネージメントシステムと、
を含む、システム。
【請求項２４】
前記バッテリマネージメント電気回路が、前記バッテリ電極のクラック形成の回避および／または固体−電解質界面（ＳＥＩ）層の形成の制御をするように構成される、請求項２３に記載のシステム。
【請求項２５】
方法であって、
電気化学バッテリ内において前記バッテリ内に存在する遊離または溶解ガスの量を光センシングする工程と、
前記ガスのセンシングされた量に応答して電気アウトプットシグナルを発生させる工程と、
少なくとも部分的に、遊離または溶解ガスの量が第１の閾値にあるかこれを超えることを示す前記検出器シグナルに基づいて、前記バッテリが第１のバッテリ状態にあることを決定する工程と、
少なくとも部分的に、遊離または溶解ガスの量が前記第１の閾値とは異なる第２の閾値にあるかこれを超えることを示す前記検出器シグナルに基づいて、前記バッテリが第２のバッテリ状態にあることを決定する工程と、
を含む方法。
【請求項２６】
システムであって、
電気化学バッテリ内に配設されるように構成される１つ以上の光ファイバセンサであって、各光ファイバセンサが、インプット光を受容し、インプット光および前記バッテリ内に存在する遊離または溶解ガスの量に基づいて変動するアウトプット光を提供するように構成される、光ファイバセンサと、
前記光ファイバセンサに前記インプット光を提供するように構成される光源と、
前記アウトプット光を検出し、前記アウトプット光に応答して電気検出器シグナルを発生させるように構成される検出器であって、前記電気検出器シグナルが、遊離または溶解ガスの量が第１の閾値にあるかこれを超えるとの決定に応答して、前記バッテリが第１のバッテリ状態にあることを示し、遊離または溶解ガスの量が前記第１の閾値とは異なる第２の閾値にあるかこれを超えるとの決定に応答して、前記バッテリが第２のバッテリ状態にあることを示す、検出器と、
を含むシステム。